(57)【要約】【課題】現場でのスプリンクラー取付作業を容易に行なうことができるスプリンクラー配管構造体を提供する。【解決手段】外周に係止凸部１を有すると共に下方開口部側に挿入用孔部を有し、かつ、予めフレキシブル管に螺着される雄ネジ部４を有する天井裏側の第１継手11を具備する。挿入用孔部へ挿入されると共にシール材を有する挿入筒部を有し、かつ、予めスプリンクラー器具が螺着されるネジ孔部を有し、さらに、外周に外鍔部を有する第２継手12を具備する。第２継手12の下方外周側から外嵌されて外鍔部に係止する円形孔付の軸心直交板部14と、軸心直交板部14から起立して、接続状態で係止凸部１に係合する弾性バネ片部15とを、一体に有する連結金具16を具備する。【選択図】図１
2009243583.tif 000002
【特許請求の範囲】
【請求項１】
外周に係止凸部（１）を有すると共に下方開口部側に挿入用孔部（２）を有し、かつ、予めフレキシブル管（３）に螺着される雄ネジ部（４）を有する天井（Ｗ）裏側の第１継手（11）と、
上記挿入用孔部（２）へ挿入されると共にシール材（５）を有する挿入筒部（６）を有し、かつ、予めスプリンクラー器具（７）が螺着されるネジ孔部（８）を有し、さらに、外周に外鍔部（９）を有する第２継手（12）と、
該第２継手（12）の下方外周側から外嵌されて上記外鍔部（９）に係止する円形孔（13）付の軸心直交板部（14）と、該軸心直交板部（14）から起立して、接続状態で上記係止凸部（１）に係合する弾性バネ片部（15）とを、一体に有する連結金具（16）と、
を具備したことを特徴とするスプリンクラー配管構造体。
【請求項２】
上記係止凸部（１）が円形外鍔形状であり、かつ、上記弾性バネ片部（15）は、切欠窓部（17）を有し、該切欠窓部（17）の上縁部が、上記円形外鍔形状の係止凸部（１）に、係合するように構成した請求項１記載のスプリンクラー配管構造体。
【請求項３】
天井（Ｗ）裏の基本配管（20）に、接続されるフレキシブル管（３）に、挿入用孔部（２）を有する第１継手（11）を予め接続して給水側サブユニット（Ｕ1 ）を形成し、
上記挿入用孔部（２）へ挿入される挿入筒部（６）を有する第２継手（12）に、予め、スプリンクラー器具（７）を取着したスプリンクラー側サブユニット（Ｕ2 ）を形成し、  弾性バネ片部（15）を有する連結金具（16）を介して、上記スプリンクラー側サブユニット（Ｕ2 ）を、上記給水側サブユニット（Ｕ1 ）に、係脱可能に接続する、
ことを特徴とするスプリンクラー配管方法。
【発明の詳細な説明】
【技術分野】
【０００１】
本発明は、スプリンクラー配管構造体及びその配管方法に関する。
【背景技術】
【０００２】
従来、消火用等のスプリンクラーを天井に設置するスプリンクラー配管構造体としては、給水配管側の雌ネジに、スプリンクラー側の雄ネジを螺合させる（ネジ接合する）ものがある（例えば、特許文献１参照）。あるいは、溶接接合によるものがある。
【０００３】
しかし、上記ネジ接合や溶接を現場施工する必要があり、高所作業、狭所作業となるスプリンクラー配管は、非常に作業をやり難く、時間が掛るという問題があった。
【特許文献１】特開２００５−１４７１６４号公報
【発明の開示】
【発明が解決しようとする課題】
【０００４】
解決しようとする課題は、スプリンクラー配管を非常にやり難く、時間が掛る点である。
【課題を解決するための手段】
【０００５】
そこで、本発明に係るスプリンクラー配管構造体は、外周に係止凸部を有すると共に下方開口部側に挿入用孔部を有し、かつ、予めフレキシブル管に螺着される雄ネジ部を有する天井裏側の第１継手と、上記挿入用孔部へ挿入されると共にシール材を有する挿入筒部を有し、かつ、予めスプリンクラー器具が螺着されるネジ孔部を有し、さらに、外周に外鍔部を有する第２継手と、該第２継手の下方外周側から外嵌されて上記外鍔部に係止する円形孔付の軸心直交板部と、該軸心直交板部から起立して、接続状態で上記係止凸部に係合する弾性バネ片部とを、一体に有する連結金具と、を具備したものである。
【０００６】
また、上記係止凸部が円形外鍔形状であり、かつ、上記弾性バネ片部は、切欠窓部を有し、該切欠窓部の上縁部が、上記円形外鍔形状の係止凸部に、係合するように構成したものである。
【０００７】
また、本発明に係るスプリンクラー配管構造体の配管方法は、天井裏の基本配管に、接続されるフレキシブル管に、挿入用孔部を有する第１継手を予め接続して給水側サブユニットを形成し、上記挿入用孔部へ挿入される挿入筒部を有する第２継手に、予め、スプリンクラー器具を取着したスプリンクラー側サブユニットを形成し、弾性バネ片部を有する連結金具を介して、上記スプリンクラー側サブユニットを、上記給水側サブユニットに、係脱可能に接続する方法である。
【発明の効果】
【０００８】
本発明のスプリンクラー配管構造体によれば、現場でのスプリンクラー取付作業を、短時間で、かつ、容易に行なうことができる。また、本発明のスプリンクラー構造体の配管方法によれば、現場でのスプリンクラー取付作業を、短時間で、かつ、容易に行なうことができる。
【発明を実施するための最良の形態】
【０００９】
図１〜図３は、本発明の実施の一形態を示す。このスプリンクラー配管構造体は、スプリンクラー器具７（図５〜図10参照）を天井Ｗに取付けるものである。金属製第１継手11と、金属製第２継手12と、連結金具16とを具備する。
【００１０】
具体的には、外周に係止凸部１を有すると共に下方開口部側に挿入用孔部２を有し、かつ、予めフレキシブル管３（図 5・図 7・図 9・図10参照）に螺着される雄ネジ部４を有する天井Ｗ裏側の第１継手11を具備する。
【００１１】
挿入用孔部２へ挿入されると共にシール材５を有する挿入筒部６を有し、かつ、予めスプリンクラー器具７（図５から図10参照）が螺着されるネジ孔部８を有し、さらに、外周に外鍔部９を有する第２継手12を具備する。
【００１２】
図１〜図４に示すように、第２継手12の下方外周側から外嵌されて外鍔部９に係止する円形孔13付の軸心直交板部14と、軸心直交板部14から起立して、接続状態で係止凸部１に係合する弾性バネ片部15とを、一体に有する連結金具16を具備する。この連結金具16は、金属製薄板材を折曲・打抜き等することによって作製される。
【００１３】
係止凸部１が円形外鍔形状であり、かつ、弾性バネ片部15は、切欠窓部17を有し、切欠窓部17の上縁部が、円形外鍔形状の係止凸部１に、係合するように構成されている。
【００１４】
次に、本発明のスプリンクラー配管構造体の配管方法について説明する。
図５〜図８は、スプリンクラー器具７を天井Ｗに配管する前の状態を示す。図９・図10は、スプリンクラー器具７を天井Ｗに配管した後の状態を示す。
【００１５】
天井Ｗ裏の基本配管20に、接続されるフレキシブル管３に、挿入用孔部２を有する第１継手11を予め接続して給水側サブユニットＵ1 を形成する。挿入用孔部２へ挿入される挿入筒部６を有する第２継手12に、予め、スプリンクラー器具７を取着したスプリンクラー側サブユニットＵ2 を形成する。
【００１６】
図６・図７に示すように、連結金具16はあらかじめスプリンクラー側サブユニットＵ2 と一体化されている。そして、弾性バネ片部15を有する連結金具16を介して、スプリンクラー側サブユニットＵ2 を、給水側サブユニットＵ1 に、係脱可能に接続する。すなわち、連結金具16の弾性バネ片部15は、上方拡幅状の誘導勾配面18を有する。そして、図３の２点鎖線に示すように、第１継手11の下端縁が弾性バネ片部15を押し広げつつ（弾性変形させつつ）弾性バネ片部15の誘導勾配面18に沿って移動して、スプリンクラー側サブユニットＵ2 を、給水側サブユニットＵ1 に、係脱可能に接続する。
【００１７】
なお、スプリンクラー側サブユニットＵ2 を、給水側サブユニットＵ1 に、係脱可能に接続した後に、図示省略の抜止具（例えばスリット付き板片）にて、スプリンクラー側サブユニットＵ2 が天井Ｗから落下しないようにする。
【００１８】
本発明は、設計変更可能であって、例えば、弾性バネ片部15の枚数は、２枚、３枚、５枚、６枚等であっても良い。また、シール材５の個数や種類を問わず、２つのシール材５を有する等であっても良い。
【００１９】
以上のように、本発明は、外周に係止凸部１を有すると共に下方開口部側に挿入用孔部２を有し、かつ、予めフレキシブル管３に螺着される雄ネジ部４を有する天井Ｗ裏側の第１継手11と、挿入用孔部２へ挿入されると共にシール材５を有する挿入筒部６を有し、かつ、予めスプリンクラー器具７が螺着されるネジ孔部８を有し、さらに、外周に外鍔部９を有する第２継手12と、第２継手12の下方外周側から外嵌されて外鍔部９に係止する円形孔13付の軸心直交板部14と、軸心直交板部14から起立して、接続状態で係止凸部１に係合する弾性バネ片部15とを、一体に有する連結金具16と、を具備したので、現場でのスプリンクラー取付作業を容易に行なうことができる。
【００２０】
また、係止凸部１が円形外鍔形状であり、かつ、弾性バネ片部15は、切欠窓部17を有し、切欠窓部17の上縁部が、円形外鍔形状の係止凸部１に、係合するように構成したので、簡素な構造でありながら、連結金具16が下方へ離脱することを確実に防止することができる。
【００２１】
また、天井Ｗ裏の基本配管20に、接続されるフレキシブル管３に、挿入用孔部２を有する第１継手11を予め接続して給水側サブユニットＵ1 を形成し、挿入用孔部２へ挿入される挿入筒部６を有する第２継手12に、予め、スプリンクラー器具７を取着したスプリンクラー側サブユニットＵ2 を形成し、弾性バネ片部15を有する連結金具16を介して、スプリンクラー側サブユニットＵ2 を、給水側サブユニットＵ1 に、係脱可能に接続するので、現場でのスプリンクラー取付作業を容易に行なうことができる。すなわち、工場に於て、あらかじめ給水側サブユニットＵ1 、及び、スプリンクラー側サブユニットＵ2 の各々を組立て、現場に於て、給水側サブユニットＵ1 にスプリンクラー側サブユニットＵ2 を取付けることができる。
【図面の簡単な説明】
【００２２】
【図１】本発明の実施の一形態を示す斜視図である。
【図２】正面図である。
【図３】断面正面図である。
【図４】連結金具を示す斜視図である。
【図５】スプリンクラーを天井に配管する前の状態を示す説明図である。
【図６】説明図である。
【図７】説明図である。
【図８】断面正面図である。
【図９】スプリンクラーを天井に配管した後の状態を示す説明図である。
【図１０】説明図である。
【符号の説明】
【００２３】
１  係止凸部
２  挿入用孔部
３  フレキシブル管
４  雄ネジ部
５  シール材
６  挿入筒部
７  スプリンクラー器具
８  ネジ孔部
９  外鍔部
11  第１継手
12  第２継手
13  円形孔
14  軸心直交板部
15  弾性バネ片部
16  連結金具
17  切欠窓部
20  基本配管
Ｕ1 給水側サブユニット
Ｕ2 スプリンクラー側サブユニット
Ｗ  天井
【図１】
2009243583.tif 000003
【図２】
2009243583.tif 000004
【図３】
2009243583.tif 000005
【図４】
2009243583.tif 000006
【図５】
2009243583.tif 000007
【図６】
2009243583.tif 000008
【図７】
2009243583.tif 000009
【図８】
2009243583.tif 000010
【図９】
2009243583.tif 000011
【図１０】
2009243583.tif 000012